(57)【要約】【課題】  使用者の成長に伴う学習作業形態の変化、或いは、机上形態の好みや使い勝手の変化等に応じて棚の使用形態を自由に変更することができるとともに、その変更作業も少ない労力で能率良く容易に行うことのできる棚付き机を提供する。【解決手段】  机本体Ａの背面板３を天板２上面よりも上方に延設し、この延出された上側背面板部３Ａの前面に、一つ又は複数の棚Ｂを脱着自在に取付けるための取付け部４を設け、背面板３の後面には、上側背面板部３Ａの前面から取り外された一つ又は複数の棚Ｂを脱着自在に取付けるための取付け部４が設けられている。【選択図】        図４
2006025930.tif 000002
【特許請求の範囲】
【請求項１】
机本体の背面板を天板上面よりも上方に延設し、この延出された上側背面板部の前面に、一つ又は複数の棚を脱着自在に取付けるための取付け部を設けてある棚付き机であって、前記背面板の後面には、上側背面板部の前面から取り外された一つ又は複数の棚を脱着自在に取付けるための取付け部が設けられている棚付き机。
【請求項２】
前記各棚の左右最大幅が机本体の膝入れ空間の奥側に入り込み可能な寸法に構成されているとともに、机本体の膝入れ空間に臨む背面板の下側背面板部の前面には、上側背面板部の前面から取り外された一つ又は複数の棚を脱着自在に取付けるための取付け部が設けられている請求項１記載の棚付き机。
【請求項３】
前記各取付け部が、背面板のうち、棚を取付け可能な領域に貫通形成された複数列、複数行の貫通孔から構成されていて、棚の複数箇所に設けられた雌ネジ部材に螺合可能な雄ネジ部材を、背面板の選択された貫通孔を通して棚取付け面とは反対側から棚の雌ネジ部材に螺合固定するように構成されている請求項１又は請求項２記載の棚付き机。
【請求項４】
前記背面板の下端が机本体の左右側板の下端と同じ高さ位置に構成されている請求項３記載の棚付き机。
【請求項５】
机本体の背面側において、机本体の天板上面よりも上方に突出する状態で設けられる背面板のうち、棚を取付け可能な全領域又はそれに近い大きさの領域に、棚の背面側の複数箇所に設けられた雌ネジ部材に対応した寸法関係で上下方向に沿って複数列、複数行の貫通孔を形成して、選択された貫通孔を通して雄ネジ部材を棚取付け面とは反対側から棚の雌ネジ部材に螺合固定することにより、背面板の前面及び後面に複数の棚を選択的に付け替え自在に取付けることを特徴とする机の棚取付け方法。
【発明の詳細な説明】
【技術分野】
【０００１】
本発明は、机本体の背面板を利用して棚を取付けてある学習机等の棚付き机及びそれの棚取付け方法に関する。
【背景技術】
【０００２】
この種の棚付き机では、机本体の背面板を利用して棚を取付けるため、例えば、机本体の天板の後部側に、左右一対の棚側板間に載置板と後側板とを設けてある下側棚を脱着自在に取付けるとともに、この下側棚の上部に、左右一対の棚側板間に載置板と後側板とを設けてある上側棚を脱着自在に取付けてある棚付き机に比して、天板の上面全域を棚側板に規制されることなく広く活用することができる利点を有する。
【０００３】
そして、従来の棚付き机の一つでは、机本体の背面側に、机本体の左右側板の下端と天板との間の中央位置又はそれよりも少し上方に偏位した部位に下端が位置し、かつ、上端が天板上面よりも少なくとも二個の棚高さ分だけ上方に突出位置する背面板を、高位置と低位置とに高さ調節自在に固定し、この背面板の天板上面よりも上方に位置する上側背面板部の前面の上部に、左右一対の側板及び仕切り板を備えた固定棚をビスで固定するとともに、固定棚の底板と机本体の天板とに選択的に載置可能な可動棚を設けていた。（特許文献１参照）。
【０００４】
また、従来の棚付き机の他の一つでは、机本体の背面側に、机本体の左右側板の下端と天板との間の中央位置又はそれよりも少し上方に偏位した部位に下端が位置し、かつ、上端が天板上面よりも少なくとも二個の棚高さ分だけ上方に突出位置する背面板を、高位置と低位置とに高さ調節自在に固定し、この背面板の天板上面よりも上方に位置する上側背面板部の前面の上下二箇所に、左右一対の側板及び仕切り板を備えた固定棚を取付けるとともに、背面板が高位置にあるとき、上下二段の固定棚が天板の上方に位置し、背面板が低位置にあるとき、上下二段の固定棚が天板を挟んで上下に位置するように構成されていた。（特許文献２参照）
【０００５】
【特許文献１】特開平９−５６４８２号公報
【特許文献２】特開平９−１５４６３８号公報
【発明の開示】
【発明が解決しようとする課題】
【０００６】
従来の前者の棚付き机では、机本体に対する背面板の二段階の高さ調節による固定棚の取付け高さの変更と、固定棚の底板と机本体の天板とに対する可動棚の選択載置又は取り外しにより、使用者の成長に伴う学習作業形態の変化、或いは、机上形態の好みや使い勝手の変化等に応じて棚の使用形態を変更することができ、また、後者の棚付き机においても、机本体に対する背面板の二段階の高さ調節による両固定棚の取付け高さの変更により、使用者の成長や趣味等に応じて棚の使用形態を変更することができる。
【０００７】
しかしながら、従来の棚付き机では、固定棚を備えた重量のある背面板を机本体に対して高さ調節する必要があるため、その高さ調節作業に多大の労力を要し、しかも、固定棚を取付けたままでの背面板の高さ調節だけでは、使用形態の変更数が極めて少なく、選択肢が自ずと制限されるものであった。
【０００８】
本発明は、上述の実状に鑑みて為されたものであって、その主たる課題は、使用者の成長に伴う学習作業形態の変化、或いは、机上形態の好みや使い勝手の変化等に応じて棚の使用形態を自由に変更することができるとともに、その変更作業も少ない労力で能率良く容易に行うことのできる棚付き机を提供する点にある。
【課題を解決するための手段】
【０００９】
本発明による第１の特徴構成は、机本体の背面板を天板上面よりも上方に延設し、この延出された上側背面板部の前面に、一つ又は複数の棚を脱着自在に取付けるための取付け部を設けてある棚付き机であって、前記背面板の後面には、上側背面板部の前面から取り外された一つ又は複数の棚を脱着自在に取付けるための取付け部が設けられている点にある。
【００１０】
上記特徴構成によれば、背面板の上側背面板部の前面に対する棚の脱着によって使用形態を変更することができるばかりでなく、背面板の後面側に空間的余裕がある場合には、背面板の後面に設けられた取付け部に、上側背面板部の前面から取り外された一つ又は複数の棚を取付けることができる。特に、図８に示すように、二つの机をそれらの背面板同士が左右方向に並置される状態で対角線方向に沿って配設してある場合には、各使用者が相手側の机の背面板の後面に取付けられた棚を使用することができる。
【００１１】
従って、机の前面側及び後面側から見たそれぞれの使用形態を考慮して、棚の取付け位置を自由に変更することができるとともに、机の配置自体も形態変更の考慮対象となるから、使用者の成長に伴う学習作業形態の変化、或いは、机上形態の好みや使い勝手の変化等に応じた使用形態変更の選択肢を増加することができる。
【００１２】
本発明による第２の特徴構成は、前記各棚の左右最大幅が机本体の膝入れ空間の奥側に入り込み可能な寸法に構成されているとともに、机本体の膝入れ空間に臨む背面板の下側背面板部の前面には、上側背面板部の前面から取り外された一つ又は複数の棚を脱着自在に取付けるための取付け部が設けられている点にある。
【００１３】
上記特徴構成によれば、机本体の膝入れ空間に臨む背面板の下側背面板部の前面に設けられた取付け部に、上側背面板部の前面から取り外された一つ又は複数の棚を自由に取付けることができるので、使用者の成長に伴う学習作業形態の変化や机上形態の好み、使い勝手の変化等に応じた使用形態変更の選択肢を更に増加することができる。
【００１４】
本発明による第３の特徴構成は、前記各取付け部が、背面板のうち、棚を取付け可能な領域に貫通形成された複数列、複数行の貫通孔から構成されていて、棚の複数箇所に設けられた雌ネジ部材に螺合可能な雄ネジ部材を、背面板の選択された貫通孔を通して棚取付け面とは反対側から棚の雌ネジ部材に螺合固定するように構成されている点にある。
【００１５】
上記特徴構成によれば、背面板の棚取付け可能領域に形成された複数列、複数行の貫通孔のうち、変更しようとする使用形態での棚の雌ネジ部材に対応する部位の貫通孔を選択し、この選択された貫通孔を通して棚取付け面とは反対側から挿入された雄ネジ部材を棚の雌ネジ部材に螺合固定するだけであるから、背面板の広い棚取付け可能領域を利用して、使用者の成長に伴う学習作業形態の変化や机上形態の好み、使い勝手の変化等に応じた使用形態変更の選択肢を更に増加しながらも、雄ネジ部材の螺合操作と言った簡便な操作をもって棚の脱着作業を能率良く容易に行うことができる。
【００１６】
本発明による第４の特徴構成は、背面板の下端が机本体の左右側板の下端と同じ高さ位置に構成されている点にある。
【００１７】
上記特徴構成によれば、背面板の棚取付け可能領域が増えるため、この領域に形成される貫通孔の列数、行数が増加し、これに連れて使用者の成長に伴う学習作業形態の変化や机上形態の好み、使い勝手の変化等に応じた使用形態変更の選択肢が更に増加する。
【００１８】
本発明による第５の特徴構成は、机本体の背面側において、机本体の天板上面よりも上方に突出する状態で設けられる背面板のうち、棚を取付け可能な全領域又はそれに近い大きさの領域に、棚の背面側の複数箇所に設けられた雌ネジ部材に対応した寸法関係で上下方向に沿って複数列、複数行の貫通孔を形成して、選択された貫通孔を通して雄ネジ部材を棚取付け面とは反対側から棚の雌ネジ部材に螺合固定することにより、背面板の前面及び後面に一つ又は複数の棚を選択的に付け替え自在に取付ける点にある。
【００１９】
上記特徴構成によれば、背面板の棚取付け可能な全領域又はそれに近い大きさの領域に形成された複数列、複数行の貫通孔のうち、変更しようとする使用形態での棚の雌ネジ部材に対応する部位の貫通孔を選択し、この選択された貫通孔を通して棚取付け面とは反対側から挿入された雄ネジ部材を棚の雌ネジ部材に螺合固定することにより、背面板の前面及び後面に複数の棚を付け替え自在に選択的に取付けることができる。
【００２０】
従って、机の前面側及び後面側から見たそれぞれの使用形態を考慮して、棚の取付け位置を自由に変更することができるとともに、机の配置自体も形態変更の考慮対象となるから、使用者の成長に伴う学習作業形態の変化や机上形態の好み、使い勝手の変化等に応じた使用形態変更の選択肢を増加することができる。しかも、背面板の広い棚取付け可能領域を利用して、使用者の成長や趣味等に応じた使用形態変更の選択肢を更に増加しながらも、雄ネジ部材の螺合操作と言った簡便な操作をもって棚の脱着作業を能率良く容易に行うことができる。
【発明を実施するための最良の形態】
【００２１】
〔第１実施形態〕
図１〜図８は、書棚付き学習机として用いられる棚付き机を示し、これは、膝入れ空間Ｓを有する机本体Ａの背面側に、机本体Ａの左右側板１の下端と同じ高さ位置に下端が位置し、かつ、上端が天板２の上面よりも少なくとも二個の棚高さ分だけ上方に突出位置する背面板３が固定され、背面板３の延出された上側背面板部３Ａの前面には、左右最大幅が机本体Ａの膝入れ空間Ｓの奥側に入り込み可能な寸法に構成されている一つ又は複数の棚Ｂを脱着自在に取付けるための取付け部４が設けられているとともに、背面板３の後面及び机本体Ａの膝入れ空間Ｓに臨む背面板３の下側背面板部３Ｂの前面には、背面板３の上側背面板部３Ａの前面から取り外された一つ又は複数の棚（書棚）Ｂを脱着自在に取付けるための取付け部４が設けられている。
【００２２】
前記机本体Ａは、図１〜図５に示すように、左右一対の側板１と、両側板１の後端部に亘って取付けられる一枚の背面板３と、この背面板３の前面に接触する又は近接する状態で両側板１の上端に載架状態で取付けられる天板２とを備えていて、前記天板２の下面に取付けられた左右一対の引出し５の底面と両側板１の内側面及び背面板３の下側背面板部３Ｂの前面とにより、着座者の膝を前方から入れ込み可能な膝入れ空間Ｓが形成されているとともに、前記両側板１の内側面と背面板３の下側背面板部３Ｂの前面とに亘って、膝入れ空間Ｓの奥側に位置する内棚板６が取付けられている。
【００２３】
前記背面板３は、それの略上下中央位置、換言すれば、机本体Ａの上下中央位置よりも少し上方に偏位した部位において二分割された上側背面板部３Ａと下側背面板部３Ｂから構成されている。
【００２４】
前記各取付け部４は、背面板３のうち、棚Ｂを取付け可能な全領域又はそれに近い大きさの領域に、棚Ｂの背面側の複数箇所に設けられた雌ネジ部材の一例である鍔付きの袋ナット７に対応した寸法関係で左右方向及び上下方向に沿って複数列、複数行（当該実施形態で４列、１７行）の配列で貫通形成された貫通孔から構成されていて、選択された貫通孔４を通して雄ネジ部材の一例であるボルト８を棚取付け面とは反対側から棚Ｂの袋ナット７に螺合固定することにより、背面板３の前面及び後面に対して複数の棚Ｂが選択的に付け替え自在に構成されている。
【００２５】
前記上側背面板部３Ａでは、棚Ｂを取付け可能な領域内において４列、９行の配列で前後方向から水平に貫通する貫通孔４が形成され、また、下側背面板部３Ｂでは、棚Ｂを取付け可能な領域内において４列、８行の配列で前後方向から水平に貫通する貫通孔４が形成されているとともに、上側背面板部３Ａ側の貫通孔４の上下方向でのピッチと下側背面板部３Ｂ側の貫通孔４の上下方向でのピッチとが同一に構成されている。
【００２６】
また、前記上側背面板部３Ａに形成されている貫通孔４のうち、天板２の上面に最も近接位置する貫通孔４を使用して、上側背面板部３Ａの前面に棚Ｂの載置板１０をボルト止めしたとき、天板２の上面と載置板１０の下面との対向面間に、貫通孔４の上下方向ピッチに略相当する寸法又はそれよりも若干小さな寸法の空隙が形成されるように構成されている。
【００２７】
前記棚Ｂは、図１〜図８に示すように、机本体Ａの両側板１の内側面間の左右内寸法よりも少し短い左右長さに形成された載置板１０の左右両端部近くに、左右一対の棚側板１１を取付けるとともに、載置板１０の左右中間部の二箇所には仕切り板１２を取付けてなる棚Ｂと、机本体Ａの両側板１の内側面間の左右内寸法よりも少し短い左右長さに形成された載置板１０の左右両端部近くに、左右一対の棚側板１１を取付けてなる棚Ｂとの二種類から構成されている。
【００２８】
また、前記載置板１０の後端面のうち、棚側板１１及び仕切り板１２の取付け寸法に対応する左右方向４箇所と、各棚側板１１の後端面の一箇所及び各仕切り板１２後端面の一箇所の各々には、図６（イ），（ロ）に示すように、棚Ｂを背面板３にボルト止め固定するための鍔付きの袋ナット７が打ち込み固定されている。
【００２９】
更に、前記棚側板１１及び仕切り板１２を備えた棚Ｂの場合では、載置板１０側の袋ナット７から棚側板１１及び仕切り板１２側の袋ナット７までの上下間隔が貫通孔４の上下方向ピッチの二倍に構成された背丈の高いタイプに構成されているとともに、前記棚側板１１のみを備えた棚Ｂの場合では、載置板１０側の袋ナット７から棚側板１１側の袋ナット７までの上下間隔が貫通孔４の上下方向ピッチと同一に構成された背丈の低いタイプに構成されている。
【００３０】
そして、上述の如く構成された棚付き机への机の棚取付け方法は、図１〜図７に示すように、机本体Ａを構成する左右一対の側板１及び天板２の背面側に、棚Ｂの背面側の複数箇所に設けられた袋ナット７に対応した寸法関係で上下方向に沿って複数列、複数行の配列で前後方向に貫通する貫通孔４が形成されている背面板３の両背面板部３Ａ，３Ｂを、上側背面板部３Ａの大部分が天板２の上面よりも上方に突出する状態でボルト・ナットにて締め付け固定したのち、この背面板３に形成されている貫通孔４のうち、選択された貫通孔４を通してボルト８を棚取付け面とは反対側から棚Ｂの袋ナット７に螺合固定することにより、両背面板部３Ａ，３Ｂの前面及び後面の略全体に対して複数の棚Ｂを付け替え自在に選択的に取付ける。
【００３１】
上述の棚取付け方法で得られる棚使用形態の一例を説明すると、図１〜図５の棚付き机では、上側背面板部３Ａの前面の一箇所と上側背面板部３Ａの後面の一箇所及び下側背面板部３Ｂの後面の一箇所にそれぞれ棚Ｂがボルト止め固定されており、また、図７の棚付き机では、上側背面板部３Ａの前面の上下二箇所と上側背面板部３Ａの後面の一箇所にそれぞれ棚Ｂがボルト止め固定されている。
【００３２】
更に、図８に示すように、二つの棚付き机をそれらの背面板３同士が左右方向に並置される状態で対角線方向に沿って配設してある場合には、各使用者が相手側の机の背面板３の後面に取付けられた棚Ｂを使用することができる。
【００３３】
〔その他の実施形態〕
（１）上述の実施形態では、前記取付け部を、背面板３に複数列、複数行の配列で形成された前後方向に貫通する貫通孔４から構成したが、この取付け部４としては、背面板３の前面の複数箇所及び後面の複数箇所に複数の棚Ｂを付け替え自在に選択的に取付けることのできるものであれば、如何なる構造のものを用いてもよい。
【００３４】
（２）上述の実施形態では、前記背面板３を、机本体Ａの上下中央位置よりも少し上方に偏位した部位において二分割された上側背面板部３Ａと下側背面板部３Ｂから構成したが、この背面板３を一枚板から構成してもよく、更に、三つ以上に分割された背面板部から構成してもよい。
【００３５】
（３）上述の実施形態では、各棚Ｂを、机本体Ａの膝入れ空間Ｓの奥側に入り込み可能な寸法で一体的に構成したが、少なくとも一つの棚Ｂを、一列状態で脱着自在に固定連結される単独使用可能な複数の本立てから構成してもよい。
【図面の簡単な説明】
【００３６】
【図１】本発明の棚付き机の第１実施形態を示す正面図
【図２】棚付き机の断面側面図
【図３】棚付き机の背面図
【図４】棚付き机の分解斜視図
【図５】棚付き机の斜視図
【図６】（イ）は背面板と棚の取付け直前の要部の拡大断面図（ロ）は背面板と棚の取付け後の要部の拡大断面図
【図７】別の使用形態を示す棚付き机の正面図
【図８】二つの棚付き机を対角線方向に沿って配設したときの斜視図
【符号の説明】
【００３７】
Ａ        机本体
Ｂ        天板
Ｓ        膝入れ空間
１        側板
２        天板
３        背面板
３Ａ      上側背面板部
３Ｂ      下側背面板部
４        取付け部（貫通孔)
７        雌ネジ部材（袋ナット）
８        雄ネジ部材（ボルト）
【図１】
2006025930.tif 000003
【図２】
2006025930.tif 000004
【図３】
2006025930.tif 000005
【図４】
2006025930.tif 000006
【図５】
2006025930.tif 000007
【図６】
2006025930.tif 000008
【図７】
2006025930.tif 000009
【図８】
2006025930.tif 000010